(57)【要約】【課題】廃墓石の処理に要する手数とコストを低減することができるとともに、廃墓石を丁重に供養して「墓じまい」（墓の処分）をすることができる廃墓石の処理方法を提供すること。【解決手段】宗教上の適切な処置が施された廃墓石を、加熱炉で加熱することにより破砕しやすくする易破砕化工程Ｓ４と、該易破砕化した廃墓石を、破砕機により粉砕することにより細粒化された破砕物を得る破砕工程Ｓ５と、前記細粒化された破砕物を原材料に用いて、容器を加熱炉で焼成する焼成工程Ｓ７とからなり、焼成工程Ｓ７で作成した容器に、廃墓石の破砕物の一部を収容して保管Ｓ８する。【選択図】図１
2016198737.tif 000002
【特許請求の範囲】
【請求項１】
廃墓石を、加熱炉で加熱することにより破砕しやすくする易破砕化工程と、該易破砕化した廃墓石を、破砕機により粉砕することにより細粒化された破砕物を得る破砕工程とからなることを特徴とする廃墓石の処理方法。
【請求項２】
廃墓石は、宗教上の儀式を経たものであるか確認する確認工程を経て、宗教上の儀式を経たものであるか確認された廃墓石が前記易破砕化工程に送られることを特徴とする請求項１記載の廃墓石の処理方法。
【請求項３】
前記細粒化された破砕物を原材料に用いて、加熱炉で焼成する焼成工程により容器及び／又は蓋を作成することを特徴とする請求項１又は２記載の廃墓石の処理方法。
【請求項４】
前記蓋は、前記容器を覆う蓋であることを特徴とする請求項３記載の廃墓石の処理方法。
【請求項５】
前記容器及び／又は蓋に刻銘等の表示を行うことを特徴とする請求項３又は４記載の廃墓石の処理方法。
【請求項６】
前記容器に、廃墓石の破砕物の一部を収容して保管することを特徴とする請求項３乃至５のいずれか１項記載の廃墓石の処理方法。
【請求項７】
易破砕化工程及び焼成工程を、同じ加熱炉を用いて行うことを特徴とする請求項３乃至６のいずれか１項記載の廃墓石の処理方法。
【請求項８】
易破砕化工程を経る前の廃墓石を写真撮影し、保存することを特徴とする請求項１乃至７のいずれか１項記載の廃墓石の処理方法。
【請求項９】
請求項３乃至７のいずれか１項記載の廃墓石の処理方法により作成された容器及び／又は蓋。
【発明の詳細な説明】
【技術分野】
【０００１】
本発明は、使用されなくなった墓石（以下、「廃墓石」という。）の処理方法に関するものである。
【背景技術】
【０００２】
近年、我が国では、少子化や核家族化が進むことに伴って、「墓守の後継ぎがいない」等の理由で、廃墓石の数が急増している。
さらに、これに加えて、墓石の老朽化から墓石の更新も行われ、古い墓石が廃墓石として発生している。
【０００３】
このようにして発生した廃墓石は、信仰上の理由や処理の困難さ等から、石材として再利用されることなく、墓所の一隅に山積みされたり、寺の境内に野積みされているのが現状で、墓所や寺の境内の有効スペースを圧縮するという問題がある。
また、廃墓石に関しては、日本各地で不法投棄が相次ぎ、社会問題化している。
【０００４】
これらの問題に対処するため、宗教上の儀式である御魂抜きの法要が行われた廃墓石を、破砕機により破砕することで破砕石を得る破砕工程と、前記破砕石を、突起や角が取れた玉石にする玉石化工程とからなる廃墓石の処理方法が提案されている（特許文献１参照。）。
【先行技術文献】
【特許文献】
【０００５】
【特許文献１】特開２００７−２６８８８２号公報
【発明の概要】
【発明が解決しようとする課題】
【０００６】
しかしながら、廃墓石を破砕機により直接破砕する上記廃墓石の処理方法は、墓石が御影石（花崗岩）等の硬質の石材からなるため、廃墓石を破砕機により破砕し、特に、細粒化された破砕物を得るには、破砕機によって廃墓石を繰り返し何度も破砕しなければならず、手数とコストを要するという問題があった。
また、破砕機によって廃墓石に対し、物理的に力を加えて破砕を試みても、破砕物の大きさはある程度大きなものとなり、細粒化された破砕物を得ることができないという問題があった。
【０００７】
本発明は、上記従来の廃墓石の処理方法の有する問題点に鑑み、廃墓石の処理に要する手数とコストを低減することができる廃墓石の処理方法を提供することを第１の目的とする。
【０００８】
また、本発明は、廃墓石を丁重に供養して「墓じまい」（墓の処分）をすることができる廃墓石の処理方法を提供することを第２の目的とする。
【課題を解決するための手段】
【０００９】
上記第１の目的を達成するため、本発明の廃墓石の処理方法は、廃墓石を、加熱炉で加熱することにより破砕しやすくする易破砕化工程と、該易破砕化した廃墓石を、破砕機により粉砕することにより細粒化された破砕物を得る破砕工程とからなることを特徴とする。
【００１０】
また、上記第２の目的を達成するため、本発明の廃墓石の処理方法は、宗教上の儀式である御魂抜きの法要等を経た墓石であるか否かを確認する確認工程を経て、宗教上の儀式である御魂抜きの法要等を経た墓石のみを対象とすることを特徴とする。
【００１１】
さらに、本発明の廃墓石の処理方法は、前記細粒化された破砕物を原材料に用いて、加熱炉で焼成する焼成工程により容器及び／又は蓋（例えば、前記容器を覆う蓋）を作成することを特徴とする。
これらの容器及び／又は蓋には、刻銘等の表示を行うことができる。
そして、前記容器に、廃墓石の破砕物の一部を収容して保管することができる。
【００１２】
この場合において、易破砕化工程及び焼成工程を、同じ加熱炉を用いて行うことができる。
【００１３】
また、易破砕化工程を経る前の廃墓石を写真撮影し、保存することができる。
【発明の効果】
【００１４】
本発明の廃墓石の処理方法によれば、廃墓石を、まず、加熱炉で加熱することにより破砕しやすくした後、易破砕化した廃墓石を、破砕機により粉砕することにより細粒化された破砕物を得るようにしているので、御影石（花崗岩）等の硬質の石材からなる墓石を、破砕機により容易に細粒化するまで破砕することができ、廃墓石の処理に要する手数とコストを低減することができる。
【００１５】
また、本発明の廃墓石の処理方法は、宗教上の儀式である御魂抜きの法要等を経た墓石のみを対象としていることに加え、このようにして細粒化された破砕物を原材料に用いて、加熱炉で焼成する焼成工程により容器及び／又は蓋（例えば、前記容器を覆う蓋）を作成し、該容器に、廃墓石の破砕物の一部を収容して保管することにより、廃墓石を丁重に供養して「墓じまい」（墓の処分）をすることができる。
【００１６】
また、易破砕化工程及び焼成工程を、同じ加熱炉を用いて行うようにすることにより、廃墓石の処理に使用する設備構成を簡略化することができる。
【００１７】
また、易破砕化工程を経る前の廃墓石を写真撮影し、保存することにより、後日、照会等がなされた場合にこれに応じるようにすることができる。
【図面の簡単な説明】
【００１８】
【図１】本発明の廃墓石の処理方法の一実施例の処理フロー図である。
【発明を実施するための形態】
【００１９】
以下、本発明の廃墓石の処理方法の実施の形態を、図面に基づいて説明する。
【００２０】
図１に、本発明の廃墓石の処理方法の一実施例の処理フロー図を示す。
この廃墓石の処理方法は、以下の工程からなる（符号は、処理フロー図に付した符号と対応している。）。
（Ｓ１）廃墓石を受け入れる。
（Ｓ２）受け入れた廃墓石が、宗教上の適切な処置が施されているかどうか、具体的には、例えば、「御魂抜き法要」が済ませてあるか否かが調査される。
例えば、法要を行った法師の証明がある場合や、廃墓石を持ち込んだ者が法要に立ち会っている場合等で、御魂抜き法要を済ませてあることが明確と判断された場合は、「宗教上の適切な処置が施されている（御魂抜き法要済み）」と判断され（Ｓ２のＹＥＳ）、無縁仏の廃墓石や時間が経過して法要が営まれたか否かが不明な場合は、「宗教上の適切な処置が施されていない（御魂抜き法要が済んでいない）」と判断される（Ｓ２のＮＯ）。
（Ｓ３）受け入れた廃墓石が、「宗教上の適切な処置が施されていない（御魂抜き法要が済んでいない）」と判断された場合（Ｓ２のＮＯ）は、宗教上の適切な処置（御魂抜き法要）を行う。これにより、廃墓石は、宗教上の適切な処置が施された（魂が抜かれた）普通の石材とみなされて、処理可能であるとされて、以下の易破砕化工程Ｓ４以降の工程に移る。
【００２１】
（Ｓ４）普通の石材となった廃墓石を、加熱炉で加熱することにより破砕しやすくする（易破砕化工程）。
この易破砕化工程Ｓ４で使用される加熱炉は、廃墓石を加熱することにより熱応力を加えて破砕しやすくするためのもので、炉内に廃墓石をそのまま収容できる大きさであって、廃墓石を最高８００℃程度まで加熱することができる、出力が数十ｋＷ〜１００ｋＷ程度の汎用の加熱炉を使用することが好ましい。なお、必要に応じて、易破砕化工程Ｓ４の前に、廃墓石をある程度細分化してから易破砕化工程Ｓ４を行ってもよい。
加熱炉の加熱方式としては、電熱加熱方式、マイクロ波加熱方式、燃焼加熱方式等の任意の加熱方式のものを使用することができるが、後述の焼成工程Ｓ７を同じ加熱炉を用いて行うことができるように、電熱加熱方式や燃焼加熱方式のものを使用することが好ましい。
加熱炉で加熱した廃墓石は、加熱する際及び冷却（急冷）する際に、それぞれ熱応力が加わり、破砕しやすくなるので、温度変化が急激であればあるほど好ましい。
加熱炉による廃墓石の加熱は、必要に応じて、加熱及び冷却を複数回繰り返すようにすることもでき、さらに、後述の破砕工程Ｓ５を行った後に、大きな破砕物を、再度、易破砕化工程Ｓ４に戻して加熱するようにすることもできる。
【００２２】
（Ｓ５）易破砕化工程Ｓ４により易破砕化した廃墓石を、破砕機を用いて破砕する（破砕工程）。
この破砕工程Ｓ５で使用される破砕機は、廃墓石を粉砕することにより細粒化された破砕物を得るためのもので、ハンマークラッシャ、ジョークラッシャ等の任意の破砕機を使用することができる。
【００２３】
（Ｓ６）破砕工程Ｓ５により、廃墓石を粉砕することにより細粒化された破砕物は、分級機で分級され、大きな破砕物は、必要に応じて、再度、破砕機に戻して、粉砕するようにすることができる（分級工程）。
【００２４】
（Ｓ７）細粒化された破砕物を原材料に用いて、具体的には、細粒化された破砕物（非可塑性原料）に、可塑性原料及び／又は融剤原料を添加して調製した陶磁器原料を成形した後、加熱炉で焼成して、陶磁器製の容器、特に限定されるものではないが、骨壺程度の大きさの蓋付き容器を作成する（焼成工程）。
ここで、可塑性原料としては、木節粘土、蛙目（がいろめ）粘土、カオリン、セリサイト等の粘土を主体した原料を用いることができ、また、融剤（媒溶剤）原料としては、長石、ドロマイト、白雲石（ＣａＣＯ３・ＭｇＣＯ３）、骨灰（リン酸カルシウム）、セリサイト等を用いることができる。
この焼成工程Ｓ７で使用される加熱炉は、陶磁器を作成するための任意の加熱方式のものを使用することができるが、前述の易破砕化工程Ｓ４を同じ加熱炉を用いて行うことができるように、電熱加熱方式や燃焼加熱方式のものを使用することが好ましい。
【００２５】
（Ｓ８）蓋付き容器に、廃墓石の破砕物の一部を収容して保管するようにする。
収容する廃墓石の破砕物は、元の廃墓石が特定できるように、破砕工程Ｓ５の前に廃墓石から採取したものを用いるほか、廃墓石毎に破砕工程Ｓ５を行う場合は分級後のものを使用することもできる。
蓋付き容器には、焼成工程Ｓ７において、直接刻銘を施したり、銘板を取り付けることができる。また、刻銘や銘板には、廃墓石に刻まれていた墓碑銘や施主名等の情報を引き写したり、写真撮影したものを転写することができる。
ここで、廃墓石を撮影した写真は、データベース等に保存しておき、照会等がなされた場合にこれに応じることができるようにすることもできる。
なお、蓋付き容器に廃墓石の破砕物の一部を収容した後、必要に応じて、宗教上の適切な処置を施す（御魂入れの法要を行う）こともできる。
【００２６】
（Ｓ９）廃墓石の破砕物の残部は、廃墓石の形態をとどめない状態まで粉砕することによって、骨材（土木建築用資材やコンクリート製品用資材）として広く利用することができる。
【００２７】
なお、本発明で処理する廃墓石には、墓碑銘や施主名等が刻まれた廃墓石本体のほか、この墓石本体を支える石製台座等を含み、これらを併せて処理することができる。
【００２８】
以上、本発明の廃墓石の処理方法について、その実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明の廃墓石の処理方法は、廃墓石の処理に要する手数とコストを低減することができるとともに、廃墓石を丁重に供養して「墓じまい」（墓の処分）をすることができることから、廃墓石の処理の用途、特に、「墓じまい」（墓の処分）の用途に好適に用いることができる。
【図１】
2016198737.tif 000003